(57)【要約】【課題】餌送給量の微調整が可能で、ホッパの形状寸法の誤差や変形状態等の影響を受けることなく簡単に組み立て可能で、しかも、構造がシンプルで廉価な家畜用給餌器を提供する。【解決手段】支持棒１５は、一端棒部の端面に切れ込み２８を凹設し、他端棒部の外周に雄ねじ部を螺設して形成する。餌量調節手段１６は、ホッパ１０の内壁面に、支持棒の横架高さ位置に合わせて支点軸部３０ａを横向きに配置して片側の羽根部３０ｂを固定し、他側の羽根部３０ｃをホッパに対し上下方向に揺動自在に蝶番３０を取り付ける。一方、支持棒の切れ込み２８に蝶番の他側羽根部３０ｃを差し込み、支持棒の一端棒部を、ホッパに対して上下、左右および前後に可動に蝶番に連結する一方、他端棒部の雄ねじ部を、吊り棒１２と平行な縦向きに長いガイド部材３２のガイド穴３５を通して作用穴に遊嵌して他端棒部をハンドル３１に連結して構成する。【選択図】          図１
2008253162.tif 000002
【特許請求の範囲】
【請求項１】
ホッパ内に横架した支持棒で吊持した吊り棒の下端部に起動部材を固定し、該起動部材が底皿上で家畜に押されると、前記ホッパ内でブリッジ防止手段を動かして飼料を流動させながら前記底皿へ落下させて送給する一方、前記支持棒に餌量調節手段を連結し、該餌量調節手段で前記支持棒を動かして前記吊り棒を上下移動し、前記ホッパ下端の餌排出口の開口量を調整して前記底皿への餌送給量を調節する家畜用給餌器において、
前記支持棒は、その一端棒部の端面に切れ込みを凹設し、他端棒部の外周に雄ねじ部を螺設して形成する一方、
前記餌量調節手段は、
前記ホッパの内壁面に、前記支持棒の横架高さ位置に合わせて中心の支点軸部を横向きに配置して片側の羽根部を固定し、他側の羽根部を前記ホッパに対して上下方向に揺動自在に取り付ける蝶番と、
該蝶番と対向するホッパの外壁面に固定し、前記吊り棒と平行な縦向きに長いガイド穴を有したガイド部材と、
縦長な把持部と、作用穴をあけた横長なレバー部間のコーナ部に支点部を設けたてこ式ハンドルで、前記ガイド部材に重ねて前記ホッパの外周壁に前記支点部を中心として回動可能に組み付けるハンドルと、
前記支持棒の雄ねじ部に螺着するロックナットと、を備え、
前記切れ込みに前記他側羽根部を差し込んで、前記支持棒の一端棒部を前記ホッパに対して上下、左右および前後に可動に前記蝶番に連結する一方、前記雄ねじ部を、前記ガイド部材のガイド穴を通して前記作用穴に遊嵌して前記支持棒の他端棒部を前記ハンドルに連結してなることを特徴とする、家畜用給餌器。
【請求項２】
請求項１に記載の家畜用給餌器において、前記ハンドルには、前記レバー部の先端を先細に形成して針部を設ける一方、前記ガイド部材には、前記ガイド穴を間に挟んで片側に前記餌排出口の開口量を示す目盛を刻設し、他側に前記ハンドルの支点部と対応する支点部を設け、前記ハンドルを共通の両支点部を中心に回動させると、その回動量に応じて前記針部で前記目盛を指示してなることを特徴とする、家畜用給餌器。
【発明の詳細な説明】
【技術分野】
【０００１】
本発明は、仔豚等の家畜に飼料を与えるのに好適な家畜用給餌器に関する。
【背景技術】
【０００２】
従来、この種の家畜用給餌器では、例えば図７に示すように、大型な樹脂製のホッパ１内の上部側に支持棒２を横架し、支持棒２に吊り棒３の上端をクランク４を介して軸回転自在に連結する一方、吊り棒３は、Ｔ型の下端棒部３ａを底皿５上の餌量調節パイプ１ａの上部に連結して垂下すると共に、中途部から斜め上向きに撹拌棒３ｂを固着してホッパ１の円錐ガイド部１ｂ内に枝状に配設し、例えば仔豚が食餌するときに鼻や口で触って起動部材６を押すと、吊り棒３が回転し、それと一体に撹拌棒３ｂが回動することによってホッパ１内で飼料を撹拌しながら、餌量調節パイプ１ａ下端の餌排出口から底皿５へ落下させて送給するようにしている。
【０００３】
一方で、従来の家畜用給餌器は、支持棒２の一端軸部２ａを軸受部材７でホッパ１に回転自在に軸支する一方、他端軸部２ｂをホッパ１の周壁を貫通させて餌量調節手段Ｓを連結し、餌量調節手段Ｓを操作して餌送給量を調節するときは、ハンドル８を持って支持棒２を回動して吊り棒３を上下移動させることにより、餌排出口の開口量を調整して底皿５への餌送給量を調節している。そのため、餌量調節手段Ｓは、支持棒２の回転軌道に合わせて、図８でも示すように、円弧状に複数のピン穴９ａ…をあけて縦向きに列設した調整プレート９を、ホッパ１の外壁面に固着する一方、ハンドル８には、内設した付勢ばねで常時突出方向へ付勢したロックピン８ａを備え、そのピン先端を１つのピン穴９ａに抜き差し可能に嵌挿して支持棒２を所定の高さ位置でロックする構成にしている。
【０００４】
従って、餌量調節時は、図９に示すように、ハンドル８を持ってロックピン８ａをピン穴９ａから付勢ばねに抗して引き抜いてから、支持棒２を所望角度だけ回動して吊り棒３を上下移動させてから、ロックピン８ａを別のピン穴９ａに嵌挿して支持棒２を所定の高さ位置でロックし、餌排出口の開口量を変えて餌排出口から送り出す餌送給量を調節している。
【特許文献１】登録実用新案第３０１９０３７号公報
【発明の開示】
【発明が解決しようとする課題】
【０００５】
ところが、従来、家畜用給餌器では、粒度や材質等の異なる種類の飼料を用いるが、餌量調節手段Ｓは、複数のピン穴９ｂにロックピンを抜き差し、あくまで穴と穴の間隔単位で支持棒２の高さ位置を調整して餌量を調節するもので、穴と穴の中間の高さ位置での調整ができない構成であるため、餌排出口の開口量を微調整することができず、その結果、飼料の種類の違いなど、必要に応じて、餌送給量を微妙に変えて調節することができないという課題があった。
【０００６】
更に、ホッパ１は、製造上、形状寸法に誤差を生じ易く個々に均一ではなく、また、材質上、経時に変形して歪などを生じ易いが、従来の家畜用給餌器では、支持棒２の一端軸部２ａを固定の軸受部材７でホッパ１に取り付ける一方、他端軸部２ｂをホッパ１の周壁を貫通させて餌量調節手段Ｓのハンドル８に固着する構成であるため、個々に異なるホッパ１の形状寸法の誤差や変形の程度に合わせて、組立現場で取付調整しながら、支持棒２や餌量調節手段Ｓの各部品をホッパ１に組み付けることは極めて困難であるという課題があった。
【０００７】
しかも、従来の家畜用給餌器では、支持棒２に運動伝達機構のクランク４やカム等を介して吊り棒３を回転自在に連結し餌送給量を調節する構成とするなど、全体に構造が複雑で、その分だけ部品点数が増大し、コスト高を招くという課題もあった。
【０００８】
そこで、本発明の目的は、餌送給量の微調整が可能で、ホッパの形状寸法の誤差や変形状態等の影響を受けることなく、簡単に組み立て可能で、しかも、構造がシンプルで廉価な家畜用給餌器を提供することにある。
【課題を解決するための手段】
【０００９】
上記した課題を解決すべく、請求項１に記載の発明は、たとえば以下に図１〜図６を用いて説明する実施の形態に示すとおり、ホッパ１０内に横架した支持棒１５で吊持した吊り棒１２の下端部に起動部材１３を固定し、該起動部材１３が底皿１８上で家畜に押されると、前記ホッパ１０内でブリッジ防止手段１４を動かして飼料を流動させながら前記底皿１８へ落下させて送給する一方、前記支持棒１５に餌量調節手段１６を連結し、該餌量調節手段１６で前記支持棒１５を動かして前記吊り棒１２を上下移動し、前記ホッパ１０下端の餌排出口２５の開口量を調整して前記底皿１８への餌送給量を調節する家畜用給餌器において、前記支持棒１５は、その一端棒部１５ａの端面に切れ込み２８を凹設し、他端棒部１５ｂの外周に雄ねじ部２９を螺設して形成する一方、前記餌量調節手段１６は、前記ホッパ１０の内壁面に、前記支持棒１５の横架高さ位置に合わせて中心の支点軸部３０ａを横向きに配置して片側の羽根部３０ｂを固定し、他側の羽根部３０ｃを前記ホッパ１０に対して上下方向に揺動自在に取り付ける蝶番３０と、該蝶番３０と対向するホッパ１０の外壁面に固定し、前記吊り棒１２と平行な縦向きに長いガイド穴３５を有したガイド部材３２と、縦長な把持部３１ａと、作用穴３４をあけた横長なレバー部３１ｂ間のコーナ部３１ｃに支点部Ｐ１を設けたてこ式ハンドルで、前記ガイド部材３２に重ねて前記ホッパ１０の外周壁に前記支点部Ｐ１を中心として回動可能に組み付けるハンドル３１と、前記支持棒１５の雄ねじ部２９に螺着するロックナット３３と、を備え、前記切れ込み２８に前記他側羽根部３０ｃを差し込んで、前記支持棒１５の一端棒部１５ａを前記ホッパ１０に対して上下、左右および前後に可動に前記蝶番３０に連結する一方、前記雄ねじ部２９を、前記ガイド部材３２のガイド穴３５を通して前記作用穴３４に遊嵌して前記支持棒１５の他端棒部１５ｂを前記ハンドル３１に連結してなることを特徴とする。
【００１０】
請求項２に記載の発明は、請求項１に記載の家畜用給餌器において、たとえば以下に図１〜図６を用いて説明する実施の形態に示すとおり、前記ハンドル３１には、前記レバー部３１ｂの先端を先細に形成して針部３１ｄを設ける一方、前記ガイド部材３２には、前記ガイド穴３５を間に挟んで片側に前記餌排出口２５の開口量を示す目盛３６を刻設し、他側に前記ハンドル３１の支点部Ｐ１と対応する支点部Ｐ２を設け、前記ハンドル３１を共通の両支点部を中心に回動させると、その回動量に応じて前記針部３１ｄで前記目盛３６を指示してなることを特徴とする。
【発明の効果】
【００１１】
請求項１に記載の発明によれば、（１）餌量調節手段に備えるハンドルを回動すると、その回動量に応じて、てこの原理に基づき、支持棒は縦向きに長いガイド穴の案内で連続的に上下移動する構成であるため、軽いハンドル操作で、餌排出口の開口量を無制限に微調整することができ、その結果、飼料の種類の違いなど、必要に応じて、自由に餌送給量を微妙に変えて調節することができる。
また、（２）餌量調節手段では、組み立て時、支持棒は、切れ込みに蝶番の他側羽根部を差し込んで、ホッパに対して上下、左右および前後に可動に蝶番に連結した構成であるため、ホッパに製造上の形状寸法に誤差があったり、歪などの変形を生じたり、ハンドルなど部品の取付位置にズレがあったりしても、これら誤差や変形やズレを支持棒の上下、左右および前後の動きで吸収し、これにより、個々に異なるホッパの形状寸法の誤差や変形の程度に合わせて、現場でスムーズに且つ簡単に組立調整することができ、その結果、ホッパの形状寸法の誤差や変形状態や部品取付位置のズレ等に影響を受けることなく、精度よく簡単に組み立てることができる。
更に、（３）餌量調節手段を、従来の如く運動伝達機構のクランクやカム等を介在させた複雑な構成でなく、てこの原理や蝶番を使ったシンプルな構成であるため、それだけ部品点数が少なくて済み、その結果、より廉価な家畜用給餌器を提供することができる。
【００１２】
請求項２に記載の発明によれば、餌量を餌量調節手段のハンドルを操作して調節するときに、針部が指示するガイド部材上の目盛を見て、餌排出口の開口量を見極めながらハンドルを回動させることができるため、いちいち下方の餌排出口を覗いて開口量を確かながら調整作業をする必要がなく、目の前のガイド部材上の目盛に従って餌排出口の開口量を微調整することによって、面倒なく簡単に餌送給量を、より正確に微調節することができる。
【発明を実施するための最良の形態】
【００１３】
以下、本発明を実施するための最良の形態を、図面を参照して詳細に説明する。
【００１４】
図１〜図６には、本発明の家畜用給餌器を実施するための最良の形態を示す。図示家畜用給餌器は、図１および図２に示すように、ホッパ１０、餌落下パイプ１１、吊り棒１２、起動部材１３、ブリッジ防止手段１４、支持棒１５、餌量調節手段１６、給水部１７、底皿１８、仕切枠１９などで構成されている。
【００１５】
ホッパ１０は、樹脂製で、不図示の開閉蓋を開けて上部開口から飼料を投入する上側の円筒部２０と、円筒部２０の下縁から漸次下向きに縮径した円錐ガイド部２１とを有し、円錐ガイド部２１の下端に、縦長な餌落下パイプ１１を一体に接続し、格子状の支持枠２２に組み付けて立設してなる。餌落下パイプ１１は、その下端周縁に、矩形な切欠き１１ａ…を所定間隔に設けて、餌排出口２５を形成してなる。
【００１６】
吊り棒１２は、長尺な丸棒製で、下端部に起動部材１３を固着している。起動部材１３は、中央部が円錐状で、周辺部を平坦状に形成し、中央部の中心に係合穴を穿設する一方、周辺部から複数の丸棒１３ａを斜めやや下向きに放射状に突出させてなる。そして、係合穴に吊り棒１２の下端部を係合させて起動部材１３を吊り棒１２に固着してなる。
【００１７】
ブリッジ防止手段１４は、複数の細い丸棒製の撹拌棒１４ａ…を備え、それら撹拌棒１４ａをホッパ１０の円錐ガイド部２１の傾斜に合わせて不図示の連結用パイプから図中斜め上向きに延ばし、それら撹拌棒１５ａの上端をリング１４ｂで連結して逆かさ形に組み立ててなる。ブリッジ防止手段１４は、連結用パイプを介して吊り棒１２に同軸的に連結する。そこで、吊り棒１２は、その上端部を、ホッパ１０の円筒部２０内で横架する支持棒１５にＬ状連結板２６を介して連結し、軸心周りに回転自在に支持棒１５で吊持する。そして、各撹拌棒１４ａを内壁面に沿わせて円錐ガイド部２１内にブリッジ防止手段１４を配設し、起動部材１３を底皿１８上に配置する。
【００１８】
支持棒１５は、丸棒製で、図３に示すように、一端棒部１５ａの端面に切れ込み２８を凹設し、反対の他端棒部１５ｂの端面にボルト頭部を溶接して外周に雄ねじ部２９を形成してなる。そこで、支持棒１５は、一端棒部１５ａを、図１に示すように、餌量調節手段１６の蝶番３０を介してホッパ１０の円筒部２０に取り付ける一方、他端棒部１５ｂを、円筒部２０を貫通して餌量調整手段１６のハンドル３１に連結する。
【００１９】
餌量調節手段１６は、図３に示すように、蝶番３０とハンドル３１の他に、ガイド部材３２、アイナットからなるロックナット３３等を備えてなる。
【００２０】
蝶番３０は、公知の羽根蝶番を用い、図２および図３に示すように、中心の支点軸部３０ａを、ホッパ１０の円筒部２０の内壁面に、支持棒１５の横架高さ位置に合わせて横向きに配置して片側の羽根部３０ｂをねじ止めし、他側の羽根部３０ｃをホッパ１０内で上下方向に揺動自在に取り付ける。
【００２１】
ハンドル３１は、Ｌ型をなし、縦長な把持部３１ａと横長なレバー部３１ｂとの間のコーナ部３１ｃに小穴の支点部Ｐ１を有した、てこ式ハンドルからなる。レバー部３１ｂには、やや横長に開けた作用穴３４を有し、先端には先細な針部３１ｄを設けてなる。
【００２２】
ガイド部材３２は、図示例では板状をなし、吊り棒１２と平行な縦向きに長いガイド穴３５を開ける一方、ガイド穴３５を間に挟んだ片側の板面に餌排出口２５の開口量を示す目盛３６を刻設し、他側にハンドル３１の支点部Ｐ１と対応する小穴の支点部Ｐ２を設けてなる。
【００２３】
そこで、餌量調節手段１６において、このガイド部材３２は、ガイド穴３５が吊り棒１２と平行な縦向きの状態で、蝶番３０と対向するホッパ１０の外壁面にねじ止めする。それから、支持棒１５は、図３および図４に示すように、切れ込み２８に蝶番３０の他側羽根部３０ｃを差し込んで、一端棒部１５ａを、ホッパ１０に対して上下、左右および前後に可動に蝶番３０に連結する一方、図３および図５に示すように、ボルトの雄ねじ部２９をホッパ１０の円筒部２１の貫通穴から、ガイド部材３２のガイド穴３５を通して作用穴３４に遊嵌し、他端棒部１５ｂをハンドル３１に連結する。ハンドル３１は、作用穴３４に支持棒１５の雄ねじ部２９を遊嵌した状態で、両支点部Ｐ１・Ｐ２を合わせてガイド部材３２に重ね、支点用ボルト３８とナット３９で、共通の支点部を中心として回動可能にホッパ１０の外周壁に組み付ける。そして、所望の餌送給量に応じた餌排出口２５の開口量に合わせて、ハンドル３１の回動角度位置を設定してから、支持棒１５の雄ねじ部２９にロックナット３３を螺着してハンドル３１をホッパ１０の外壁面に締着し、組み立ててなる。餌量調節手段１６では、いま設定したハンドル３１の回動角度位置に応じて、針部３１ｄでガイド部材３２上の目盛３６を指示し、所望の餌送給量に応じた餌排出口２５の開口量を表示している。
【００２４】
従って、本発明の餌量調節手段１６では、組み立て時、支持棒１５は、図１および図４でも示すように、切れ込み２８に蝶番３０の他側羽根部３０ｂを差し込んで、ホッパ１０に対して上下、左右および前後に可動に蝶番３０に連結した構成であるため、ホッパ１０に製造上の形状寸法に誤差があったり、歪などの変形を生じたり、ハンドル３１など部品の取付位置にズレがあったりしても、これら誤差や変形やズレを支持棒１５の上下、左右および前後の動きで吸収し、これにより、個々に異なるホッパの形状寸法の誤差や変形の程度に合わせて、現場でスムーズに且つ簡単に組立調整することができ、その結果、ホッパの形状寸法の誤差や変形状態や部品取付位置のズレ等に影響を受けることなく、簡単に精度よく組み立てることができる。
【００２５】
給水部１７は、図１に示すように、支持枠２２に組み付けて立設した給水パイプ４０の下端に給水器４１を接続する一方、ホッパ１０の円筒部２０の外壁面にウォーターコントロール４２を取り付け、予め水量を調整してから給水パイプ４０を通して給水器４１へ送水する構成になっている。そして、仔豚が給水器４１を銜えて、その作用杆４１ａを揺動させることによって飲水できるようになっている。
【００２６】
底皿１８は、中央部を円錐台状に隆起させてあり、飼料が中央部から流動して周辺部へ拡散し、食餌し易いようになっている。仕切枠１９は、餌落下パイプ１１と底皿１８の足部１８ａに固着し、給水器４１の設置間隔に合わせて間隔をあけて配設する。そして、仕切枠１９で区画した給餌空間内にて仔豚が争うことなく食餌し、又は個別に給水器４１から飲水できるようにしている。
【００２７】
さて、上述した構成の図示給餌器では、飼料供給時、開閉蓋を開けてホッパ１０の円筒部２０内に投入する飼料は、順次、円錐ガイド部２１、餌落下パイプ１１を通って底皿１８上へ自然落下して排出口２５の切欠き１１ａ…から仔豚へ送給される。このとき、例えば食餌中に仔豚が鼻や口で触って起動部材１３を押すと、それに応じて、ホッパ１０内では、ブリッジ防止手段１４の撹拌棒１４ａが、円錐ガイド部２１の内壁面の近傍でそれに沿って揺動するため、内壁面寄りにある凝集飼料は撹拌棒１４ａでかき混ぜられ、内壁面に摩擦で付着した飼料群も摩擦抵抗が解かれて流動し、その結果、飼料は、円錐ガイド部２１内でブリッジ状に残留することなく、すべて、円錐ガイド部２１内の内壁面側から、下方の餌落下パイプ１１を通って底皿１８上へ落下して送給される。
【００２８】
一方、図示給餌器において、餌排出口２５から送り出す餌量を、餌量調節手段１６を操作して調節するときは、図６に示すように、ロックナット３３によるハンドル３１の締付けを緩めてから、把持部３１ａを持って、針部３１ｄが指示するガイド部材３２上の目盛３６を見ながら、ハンドル３１を支点部Ｐ１・Ｐ２を支点として回動する。ハンドル３１を回動すると、その回動量に応じて、てこの原理に基づき、支持棒１５が縦向きに長いガイド穴３５の案内で連続的に上下移動し、これに従って、吊り棒１２および起動部材１３も一体に上下移動して餌落下パイプ１１下端の餌排出口２５の開口量を微調整する。開口量の調整後は、ロックナット３３を支持棒１５の雄ねじ部２９に逆向きに螺合し、改めてハンドル３１をホッパ１０に締め付けて固持し、餌送給量の調節を終える。
【００２９】
従って、本発明の餌量調節手段１６では、ハンドル３１を回動すると、その回動量に応じて、てこの原理に基づき、支持棒１５は縦向きに長いガイド穴３５の案内で連続的に上下移動する構成であるため、軽いハンドル操作で、餌排出口２５の開口量を無制限に微調整することができ、その結果、飼料の種類の違いなど、必要に応じて、自由に餌送給量を微妙に変えて調節することができる。
【図面の簡単な説明】
【００３０】
【図１】本発明の一例である家畜用給餌器を示す斜視図である。
【図２】餌量調節手段を含むホッパの上部側の構造を示す斜視図である。
【図３】餌量調節手段の分解斜視図である。
【図４】支持棒と蝶番の連結構造を示す斜視図である。
【図５】餌量調節手段のハンドル側の構造を示す斜視図である。
【図６】ハンドルを回して餌量調節手段で餌送給量を調整する動作を説明する斜視図である。
【図７】従来の家畜用給餌器を示す斜視図である。
【図８】従来の家畜用給餌器において、餌量調節手段のハンドル側の構造を示す斜視図である。
【図９】従来の家畜用給餌器において、ハンドルを操作して餌送給量を調整する動作を説明する斜視図である。
【符号の説明】
【００３１】
１０              ホッパ
１１              餌落下パイプ
１２              吊り棒
１３              起動部材
１４              ブリッジ防止手段
１５              支持棒
１６              餌量調節手段
１８              底皿
２５              餌排出口
２８              切れ込み
２９              雄ねじ部
３０              蝶番
３１              ハンドル
３１ｄ            針部
３２              ガイド部材
３３              ロックナット
３４              作用穴
３５              ガイド穴
３６              目盛
【図１】
2008253162.tif 000003
【図２】
2008253162.tif 000004
【図３】
2008253162.tif 000005
【図４】
2008253162.tif 000006
【図５】
2008253162.tif 000007
【図６】
2008253162.tif 000008
【図７】
2008253162.tif 000009
【図８】
2008253162.tif 000010
【図９】
2008253162.tif 000011